(57)【要約】【課題】旧来の照明器具が設置されていた場所に代替設置する照明器具において、旧来の照明器具合わせた取付ピッチを採用する必要があるが、旧来の照明器具の取付ピッチが複数存在する場合、それぞれの取付ピッチに合わせた取付部を構成する必要があるため、部材の数が増えてコストと手間が大きくなる。【解決手段】筐体の両側に左右一対の取付部材４Ｌ４Ｒを有する照明器具において、前記照明器具前記取付部材は筐体に固定するための筐体取付部５と、構造体に固定するための構造体取付部６とを有し、前記構造体取付部には前記筐体に隠れないように前記筐体より正面視でさらに前記筐体の外側に位置する構造体取付穴７を有し、前記一対の取付部材の筐体取り付け位置を互いに入れ替えることができる。【選択図】図２
2020047537.tif 000002
【特許請求の範囲】
【請求項１】
構造体に設置する照明器具において、
筐体の横方向に構造体に筐体を取り付けるための一対の取付部材を有し、
該一対の取付部材は、筐体取付部と構造体取付部を有し、
前記構造体取付部は筐体取付部から横方向に延びた位置に構造体取付穴を有し、
該構造体取付穴は前記筐体より正面視でさらに前記筐体の上下方向外側に設けられており、
前記一対の取付部材の筐体取り付け位置を互いに入れ替えることができることを特徴とする照明器具。
【請求項２】
前記左右一対の取付部材は、前記筐体に固定された状態において、前記構造体取付部の構造体取付面と前記筐体の後面との間に空間が設けられるように構成されている
ことを特徴とする請求項１に記載された照明器具。
【請求項３】
それぞれの前記構造体取付穴は１個以上の長穴または丸穴で構成されている
ことを特徴とする請求項１または請求項２に記載された照明器具。
【請求項４】
筐体の両側に左右一対の取付部材を有する照明器具において、
前記取付部材は筐体の側面に固定するための筐体取付部と、
構造体に固定するための構造体取付部とを有し、
前記構造体取付部には前記筐体に隠れないように前記筐体より正面視でさらに前記筐体の上下方向外側に位置する構造体取付穴を有し、
前記左右一対の取付部材は上下垂直線に対して互いに線対称となる形状であることを特徴とする照明器具。
【請求項５】
前記筐体取付部は筐体の側面に固定されるものであって２個の筐体取付穴を有し、一方の前記筐体取付穴は丸穴であり、他方の前記筐体取付穴は前記丸穴の中心点を中心とした円弧状の長穴で構成されていることを特徴とする請求項１から請求項４のいずれかに記載された照明器具。
【発明の詳細な説明】
【技術分野】
【０００１】
本発明は、照明器具に関し、特にレトロフィット用途として、旧来の照明器具の取付ピッチに合わせて設置することができる照明器具に関するものである。
【背景技術】
【０００２】
照明分野において、最近ではＬＥＤを利用した照明器具が普及しているが、以前は白熱ランプや放電ランプを使用した照明が主流だった。例えばトンネル照明においては、高効率・長寿命という特長から低圧ナトリウムランプを使用した照明が多く使用されていた。
【０００３】
現在、低圧ナトリウムランプを使用した照明器具が老朽化するに伴い、ＬＥＤ照明器具に置き換えられることが多くなっている。特にトンネル照明では、交通規制を行いながら照明器具交換工事を実施する必要があるため、照明器具取付のためにアンカーボルトを新たに埋め込むなどの工事は少ないほうが好ましい。すなわち新しい照明器具の取付ピッチは旧来の照明器具の取付ピッチと同じである必要がある。
【０００４】
旧来の低圧ナトリウムランプを使用した照明器具では、ランプ出力３５Ｗ、５５Ｗ、９０Ｗのランプが主に使用されていた。現在のＬＥＤ照明器具ではＬＥＤ素子の効率や照射技術が改善されているので、９０Ｗの低圧ナトリウムランプ相当の照明器具でも従来品より小さくできる。従ってＬＥＤ照明器具の製造コストを考えると、光源モジュールを納める照明器具の筐体を１種類に統一したほうが有利となる。
【０００５】
しかしながら旧来の低圧ナトリウムランプを使用した照明器具では、ランプ出力ごとに筐体が異なり、トンネルなどの構造体に取り付けるための取付ピッチは数多く使用されている品種に限っても２種類あった。特にトンネル内壁に直接アンカーボルトを打ち込み、照明器具の取付穴にボルトを通して取り付ける照明器具では、新しい照明器具の取付ピッチを旧来の照明器具の取付ピッチと同じにする必要がある。従って、ＬＥＤ照明器具の筐体を１種類に統一しても、２種類の取付ピッチに対応させる必要がある。
【０００６】
従来技術を調べると、構造体の複数の取付ピッチに器具を対応させる技術として次のような方法があった。第１に構造体と器具本体との間にアダプター（台座部）を設け、このアダプターに複数の取付穴及び長穴を設け、さらに調整部材を組み合わせることで、構造体の取付ピッチに合わせてアダプターを固定する方法がある（特許文献１参照）。また、複数種類の構造体取付ピッチに合わせて複数の取付部材を用意する方法がある（特許文献２参照）。
【先行技術文献】
【特許文献】
【０００７】
【特許文献１】実公平０７―００１４８２号公報
【特許文献２】特開２００２―０２１８１６号公報
【発明の概要】
【発明が解決しようとする課題】
【０００８】
上記特許文献１の技術をトンネル照明などの照明器具に採用しようとすると、アダプターの構造がかなり複雑になる。アダプターの製造コストは照明器具と比較すれば安価ではあるが、１か所のトンネルに多数設置されるため、アダプターのコストも無視できない。また特許文献２の技術をトンネル照明などの照明器具に採用しようとすると、多数の取付金具を用意する必要があるうえ、その現場で使用された１種類以外の金具を持ち帰る必要があるので無駄が多い。
【課題を解決するための手段】
【０００９】
上記課題を解決するため、本発明の照明器具は、筐体の横方向に構造体に筐体を取り付けるための一対の取付部材を有し、該一対の取付部材は、筐体取付部と構造体取付部を有し、前記構造体取付部は筐体取付部から横方向に延びた位置に構造体取付穴を有し、該構造体取付穴は前記筐体より正面視でさらに前記筐体の上下方向外側に設けられており、前記一対の取付部材の筐体取り付け位置を互いに入れ替えることができることを特徴とする照明器具である。
【００１０】
また前記照明器具において、前記取付部材の構造体取付部の構造体取付面と筐体の後面との間に空間が設けられるように構成されていてもよい。
【００１１】
また前記照明器具において、それぞれの前記構造体取付穴は１個以上の長穴で構成されている構造であってよい。
【００１２】
また本発明の照明器具は、筐体の両側に左右一対の取付部材４Ｌ４Ｒを有し、前記取付部材は筐体の側面に固定するための筐体取付部５と、構造体に固定するための構造体取付部６とを有し、前記構造体取付部には前記筐体に隠れないように前記筐体より正面視でさらに前記筐体の上下方向外側に位置する構造体取付穴を有し、前記左右一対の取付部材は上下垂直線に対して互いに線対称となる形状であってよい。
【発明の効果】
【００１３】
本発明によれば、簡素な構造で１種類の取付金具を用いて２種類以上の取付ピッチに対応できる照明器具を実現可能である。
【図面の簡単な説明】
【００１４】
【図１】本発明の照明器具の一例を使用する示す図。
【図２】本発明の照明器具の一例を示す正面図。（Ａ）は長尺対応。（Ｂ）は短尺対応。
【図３】本発明の照明器具の一例を示す下面図。（Ａ）は長尺対応。（Ｂ）は短尺対応。
【図４】本発明の照明器具の一例を示す側面図。
【発明を実施するための形態】
【００１５】
以下、本発明に係る実施形態に関して、添付の図面を参照しながら詳細に説明する。なお図中の同じ要素に対しては同じ参照符号を付して、重複した説明を省略する。
【００１６】
図１は、トンネル照明器具１の設置状態を示す図である。図１に示すように、トンネル照明器具１は、道路１１が延びるトンネル１０の壁面又は天井面（本実施形態では天井面）に、道路１１に沿って所定間隔で設置される。道路１１は、平行に延びる２本の車道外側線１２Ａ、１２Ｂで路面１２が区画されている。本実施形態では、トンネル照明器具１は、直近側（手前側）の車道外側線１２Ａから幅Ｌ１だけ路面１２に進入した位置に、灯具直下軸Ｋが遠方側（手前側と反対側）の車道外側線１２Ｂから幅Ｌ２だけ手前側に位置する姿勢でトンネル１０の天井面に設置されている。なお、本明細書では、道路１１が延びる方向（車両が走行する方向）を縦断方向Ｊと定義し、この縦断方向Ｊに直交する方向を横断方向Ｍと定義する。なお、本例のように、照明器具１がトンネル１０の片側だけに配置される場合、この照明器具１は道路１１の横断方向全体にわたって照明できるような配光を有している。
【００１７】
図２から図４に、本発明の照明器具の一例を示す。図２は正面図であり、（Ａ）は長尺の取付ピッチに対応して組み立てた場合の構成を示し、（Ｂ）は短尺対応の場合を示している。図３は同じ照明器具を図２における下から見た図であり、図２と同様、（Ａ）は長尺の取付ピッチに対応して組み立てた場合の構成を示し、（Ｂ）は短尺対応の場合を示している。図４は同じ照明器具を図２における左側から見た図である。
【００１８】
図２に記載されている通り、照明器具1を正面から見て上下左右の方向を、本明細書においては「上」「下」「左」「右」と呼称する。本実施例の照明器具１は左右方向が図１における縦断方向Ｊと一致するようにトンネル１０などの構造体に設置される。また図３に記載されている通り、本明細書においては照明器具1を下から見て上方向を「前」、下方向を「後」と呼称する。
【００１９】
図２において、２は照明器具１の本体部である筐体であり、３は筐体２の内部に取り付けられている光源（図示しない）から放出される光を外部に出射する照射口である。２ａから２ｄはそれぞれ筐体２の上面、下面、左側面、右側面である。また図３に記載されている通り、２ｆは照射口３（図２参照）を有する筐体の前面であり、２ｒは筐体の後面を示している。４Ｌ４Ｒは左右一対の取付部材であり、それぞれの取付部材は、ボルトなどを使用して筐体２の側面に固定するための筐体取付部５と、照明器具１をトンネル１０などの構造体に固定するための構造体取付部６及び構造体取付穴７を有する。図４においては筐体２と一方の取付部材４Ｌのみが見えており、他方の取付部材４Ｒは取付部材４Ｌの後ろに重なっているため見えていない。
【００２０】
本実施例において、左右一対の取付部材は上下垂直線に対して互いに線対称となる形状である。すなわち図２において、筐体２を除いて左右一対の取付部材４Ｌ４Ｒの筐体取付部５の取付面同士を接触させると、左右対称の形状となる。図２（Ａ）においては取付部材４Ｌを筐体２の左に取り付け、取付部材４Ｒを筐体２の右に取り付けているため左右の構造体取付穴の間隔が広くなっている。この構成により、取付ピッチが比較的長い旧来の照明器具（例えば取付ピッチ４００ｍｍの低圧ナトリウムランプ用）が設置されていた場所に、本照明器具を取り付けることができる。また、図２（Ｂ）のように取付部材４Ｌを筐体２の右に取り付け、取付部材４Ｒを筐体２の左に取り付ければ、取付ピッチが比較的短い旧来の照明器具（例えば取付ピッチ３００ｍｍの低圧ナトリウムランプ用）が設置されていた場所に、本照明器具を取り付けることができる。このように本発明に係る照明器具は、一対の取付部材４Ｌ４Ｒの筐体取付位置を互いに入れ替えることによって、２種類の構造体取付ピッチに対応できる。
【００２１】
また、構造体取付穴７の位置は筐体２の下端すなわち筐体２の下面２ｂより下側に設けられている。このため図２（Ｂ）に示す通り、正面から見て構造体取付穴７が見えており、取付ピッチが比較的短い旧来の照明器具が設置されていた場所に、構造体のアンカーボルトに合わせて本照明器具を取り付けることができる。
【００２２】
本実施例の照明器具を下から見た時の形状は図３に記載されている通りであり、取付部材４Ｌ４Ｒの構造体取付部６は筐体２の後面２ｒよりもさらに後ろ側になるように構成されている。そのため左右一対の取付部材４Ｌ４Ｒは、筐体２に固定された状態において、構造体取付部６の構造体取付面と筐体２の後面２ｒとの間に空間が設けられるように構成されている。このような構造にすることで、筐体２の後面２ｒが平坦でない場合や後面に何かの部材が固定されている場合にも、それらがトンネル１０などの構造体に接触することが無い。また、取付ピッチが比較的短い旧来の照明器具が設置されていた場所に照明器具を六角ナットなどで取り付ける際に、工事が容易となる。逆に構造体取付部６の構造体取付面と筐体２の後面２ｒとの段差が小さく、両者の間にほとんど空間が設けられない場合には、構造体取付穴７の位置を筐体２の下面２ｂより十分下側に設けることで、六角ナットやワッシャーが入る寸法に加え、工具を動かす間隔を確保する必要がある。
【００２３】
図４に示す通り、本発明に係る取付部材を筐体側面側から見ると、筐体取付部５は筐体取付穴５ａ５ｂを有している。筐体取付穴５ａは丸穴であり、他方の前記筐体取付穴５ｂは筐体取付穴５ａの中心点を中心とした円弧状の長穴で構成されている。このような構成とすることで、構造体に設置する際に、筐体２と取付部材４Ｌ４Ｒとの固定を少し緩めたうえで筐体２の取付角度を変更・調整することができる。そのため、照明器具を設置する際に、図１における灯具直下軸Ｋを所望の位置に正確に合わせることが可能となる。図４では一方の取付部材４Ｌを図示しているが、他方の取付部材４Ｒも同様の構造となっている。
【００２４】
以上の通り、本実施例においては正面視で長方形の筐体を有する照明器具について説明したが、筐体の形状はこれに限らず、正面視で正方形でも、円形の両端に平行部を設けた筐体でもよい。
【００２５】
本実施例の構造体取付穴は、本実施例では取付部材１個につき１個の長穴で構成されているが、複数の丸穴でもよい。また複数の長穴で構成されていてもよい。
【符号の説明】
【００２６】
１          照明器具
２          筐体
４Ｌ，４Ｒ  取付部材
５          筐体取付部
６          構造体取付部
７          構造体取付穴
【図１】
2020047537.tif 000003
【図２】
2020047537.tif 000004
【図３】
2020047537.tif 000005
【図４】
2020047537.tif 000006
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
構造体に設置する照明器具において、
筐体の左右方向外側に、前記構造体に前記筐体を取り付けるための一対の取付部材を有し、
該一対の取付部材は、筐体取付部と構造体取付部を有し、
該構造体取付部は、前記筐体取付部から正面視で前記筐体の左右方向外側かつ上下方向外側の位置に、正面視で開口が見える方向の構造体取付穴を有し、
前記一対の取付部材の筐体取り付け位置を互いに入れ替えることができることを特徴とする照明器具。
【請求項２】
構造体に設置する照明器具において、
筐体の横方向に構造体に筐体を取り付けるための一対の取付部材を有し、
該一対の取付部材は、筐体取付部と構造体取付部を有し、
前記筐体取付部は前記筐体の横方向側面に取り付けられており、
前記構造体取付部は前記筐体取付部から前記筐体の後面に平行かつ横方向外側に９０度折り曲げられ、さらに正面視で前記筐体の上下方向外側に設けられた位置に構造体取付穴を有し、
前記一対の取付部材の筐体取り付け位置を互いに入れ替えることができることを特徴とする照明器具。
【請求項３】
筐体の両側に左右一対の取付部材を有する照明器具において、
前記取付部材は筐体の側面に固定するための筐体取付部と、
構造体に固定するための構造体取付部とを有し、
前記構造体取付部には、前記筐体に隠れないように前記筐体取付部から正面視で前記筐体の左右方向外側かつ上下方向外側の位置に、構造体取付穴が正面視で開口が見える方向に開けられており、
前記左右一対の取付部材は上下垂直線に対して互いに線対称となる形状であることを特徴とする照明器具。
【請求項４】
前記左右一対の取付部材は、前記筐体に固定された状態において、前記構造体取付部の構造体取付面と前記筐体の後面との間に空間が設けられるように構成されている
ことを特徴とする請求項１から請求項３のいずれかに記載された照明器具。
【請求項５】
前記筐体取付部は筐体の側面に固定されるものであって２個の筐体取付穴を有し、一方の前記筐体取付穴は丸穴であり、他方の前記筐体取付穴は前記丸穴の中心点を中心とした円弧状の長穴で構成されていることを特徴とする請求項１から請求項４のいずれかに記載された照明器具。
【手続補正２】
【補正対象書類名】明細書
【補正対象項目名】０００９
【補正方法】変更
【補正の内容】
【０００９】
上記課題を解決するため、本発明の照明器具は、筐体の左右方向外側に、前記構造体に前記筐体を取り付けるための一対の取付部材を有し、該一対の取付部材は、筐体取付部と構造体取付部を有し、該構造体取付部は、前記筐体取付部から正面視で前記筐体の左右方向外側かつ上下方向外側の位置に、正面視で開口が見える方向の構造体取付穴を有し、前記一対の取付部材の筐体取り付け位置を互いに入れ替えることができることを特徴とする照明器具である。
【手続補正３】
【補正対象書類名】明細書
【補正対象項目名】００１０
【補正方法】変更
【補正の内容】
【００１０】
また本発明の請求項２に記載された照明器具は、筐体の横方向に構造体に筐体を取り付けるための一対の取付部材を有し、該一対の取付部材は、筐体取付部と構造体取付部を有し、前記筐体取付部は前記筐体の横方向側面に取り付けられており、前記構造体取付部は前記筐体取付部から前記筐体の後面に平行かつ横方向外側に９０度折り曲げられ、さらに正面視で前記筐体の上下方向外側に設けられた位置に構造体取付穴を有し、前記一対の取付部材の筐体取り付け位置を互いに入れ替えることができることを特徴と
する照明器具である。
【手続補正４】
【補正対象書類名】明細書
【補正対象項目名】００１１
【補正方法】変更
【補正の内容】
【００１１】
また本発明の請求項３に記載された照明器具は、筐体の両側に左右一対の取付部材を有する照明器具において、前記取付部材は筐体の側面に固定するための筐体取付部と、構造体に固定するための構造体取付部とを有し、前記構造体取付部には、前記筐体に隠れないように前記筐体取付部から正面視で前記筐体の左右方向外側かつ上下方向外側の位置に、構造体取付穴が正面視で開口が見える方向に開けられており、前記左右一対の取付部材は上下垂直線に対して互いに線対称となる形状であることを特徴とする照明器具である。
【手続補正５】
【補正対象書類名】明細書
【補正対象項目名】００１２
【補正方法】変更
【補正の内容】
【００１２】
また前記照明器具において、前記左右一対の取付部材は、前記筐体に固定された状態において、前記構造体取付部の構造体取付面と前記筐体の後面との間に空間が設けられるように構成されていてもよい。さらに  前記筐体取付部は筐体の側面に固定されるものであって２個の筐体取付穴を有し、一方の前記筐体取付穴は丸穴であり、他方の前記筐体取付穴は前記丸穴の中心点を中心とした円弧状の長穴で構成されていてもよい。